(57)【特許請求の範囲】
【請求項１】
戸体の構成部材である框材に、溝状の反射部が形成された導光性のパネル体と、該パネル体の端面から投光する灯体とを設けて、該灯体からの光を反射部で反射させたことによる反射光で表示させるように構成した表示機能付きの戸体において、灯体が設けられた取付け体と、該取付け体を框材に着脱自在に取付けるための取付け部材と、パネル体の端面部を支持するべく取付け体に係脱自在に係止される押し縁と、該押し縁とパネル体面部との間隙に着脱自在に介装される間隙材とを備え、前記押し縁は、取付け部材の框材への取付け位置に取付けられるものであることを特徴とする表示機能付きの戸体。
【請求項２】
取付け体には、灯体からの光を入光するパネル体端面にガイドするためのガイド部が、パネル体側が開口した凹溝状に設けられ、ガイド部の溝底部に灯体が設けられていることを特徴とする請求項１記載の表示機能付きの戸体。
【請求項３】
ガイド体の開口端は、パネル体の入光端面までは至らない設定になってことを特徴とする請求項２記載の表示機能付きの戸体。
【請求項４】
戸体の構成部材である框材に、溝状の反射部が形成された透光性のパネル体と、該パネル体の端面から投光する灯体とを設けて、該灯体からの光を反射部で反射させたことによる反射光で表示させるように構成した表示機能付きの戸体において、パネル体面部と該パネル体を支持する押し縁との間隙に介装された間隙材を取外す工程、間隙材が取外された状態の押し縁を取外す工程、押し縁を取外すことで露出した取付け部材を取外すことで灯体が設けられた取付け体を框材から自由にする取外し工程、該自由になった取付け体を框材から取外す取外し工程、を備えることを特徴とする表示機能付きの戸体からの灯体取り外し方法。
【請求項５】
戸体の構成部材である框材に、溝状の反射部が形成された透光性のパネル体と、該パネル体の端面から投光する灯体とを設けて、該灯体からの光を反射部で反射させたことによる反射光で表示させるように構成した表示機能付きの戸体において、灯体が設けられた取付け体を框材に組込む工程、該組込まれた取付け体を、取付け部材を介して該取付け部材が視認される状態で框材に着脱自在に取付ける工程、パネル体の端面部を支持するための押し縁を、前記視認される取付け部材を目隠しする状態で取付け体に係脱自在に係止する工程、パネル体面部と押し縁との間隙に間隙材を介装する行程、を備えることを特徴とする表示機能付き戸体の灯体取付け方法。
【発明の詳細な説明】
【技術分野】
【０００１】
本発明は、ＬＥＤ（発光ダイオード）等の灯体からの光を導光材からなるパネル体に入射することで文字や図柄等を表示する表示機能付きの戸体、該戸体からの灯体取り外し方法および取付け方法の技術分野に関するものである。
【背景技術】
【０００２】
今日、戸体（扉体）を構成するパネル体に文字や図柄を描いて戸体自体に表示機能を持たせたものがあるが、パネル体が単純にガラス板のようなものである場合、パネル体表面にペンキ等の塗料で描いただけの表示しかできず、外観の優れたものとすることは難しいという問題がある。
そこでパネル体を、文字や図柄を反射表示するため溝状の反射部が形成された導光材で形成し、該パネル体の端面部から灯体の光を入光することで反射部で反射させ、その反射光で表示させることで、光表示ができるようにたものが知られている（例えば特許文献１参照。）。
【先行技術文献】
【特許文献】
【０００３】
【特許文献１】実公平７−５２９４７号公報
【発明の概要】
【発明が解決しようとする課題】
【０００４】
ところが前記従来のものは、冂溝形状をした戸体框材（例えば横框）の収容溝に灯体を内装すると共に、収容溝の灯体よりも開口側に、灯体に対向するようにしてパネル体の端部を嵌合組込みするようにしていたが、灯体が球切れするような故障があった場合や発光色を変更したいような場合、灯体を交換する必要がある。
しかるに前記従来のものは、パネル体端面よりも奥側に灯体が配されているため、灯体を交換するためには框材からパネル体を取外してから灯体の交換をする作業が必要であってメンテナンス性に劣る、という問題もあり、ここに本発明の解決すべき課題がある。
【課題を解決するための手段】
【０００５】
本発明は、上記の如き実情に鑑みこれらの課題を解決することを目的として創作されたものであって、請求項１の発明は、戸体の構成部材である框材に、溝状の反射部が形成された導光性のパネル体と、該パネル体の端面から投光する灯体とを設けて、該灯体からの光を反射部で反射させたことによる反射光で表示させるように構成した表示機能付きの戸体において、灯体が設けられた取付け体と、該取付け体を框材に着脱自在に取付けるための取付け部材と、パネル体の端面部を支持するべく取付け体に係脱自在に係止される押し縁と、該押し縁とパネル体面部との間隙に着脱自在に介装される間隙材とを備え、前記押し縁は、取付け部材の框材への取付け位置に取付けられるものであることを特徴とする表示機能付きの戸体である。
請求項２の発明は、取付け体には、灯体からの光を入光するパネル体端面にガイドするためのガイド部が、パネル体側が開口した凹溝状に設けられ、ガイド部の溝底部に灯体が設けられていることを特徴とする請求項１記載の表示機能付きの戸体である。
請求項３の発明は、ガイド体の開口端は、パネル体の入光端面までは至らない設定になってことを特徴とする請求項２記載の表示機能付きの戸体である。
請求項４の発明は、戸体の構成部材である框材に、溝状の反射部が形成された透光性のパネル体と、該パネル体の端面から投光する灯体とを設けて、該灯体からの光を反射部で反射させたことによる反射光で表示させるように構成した表示機能付きの戸体において、パネル体面部と該パネル体を支持する押し縁との間隙に介装された間隙材を取外す工程、間隙材が取外された状態の押し縁を取外す工程、押し縁を取外すことで露出した取付け部材を取外すことで灯体が設けられた取付け体を框材から自由にする取外し工程、該自由になった取付け体を框材から取外す取外し工程、を備えることを特徴とする表示機能付きの戸体からの灯体取り外し方法である。
請求項５の発明は、戸体の構成部材である框材に、溝状の反射部が形成された透光性のパネル体と、該パネル体の端面から投光する灯体とを設けて、該灯体からの光を反射部で反射させたことによる反射光で表示させるように構成した表示機能付きの戸体において、灯体が設けられた取付け体を框材に組込む工程、該組込まれた取付け体を、取付け部材を介して該取付け部材が視認される状態で框材に着脱自在に取付ける工程、パネル体の端面部を支持するための押し縁を、前記視認される取付け部材を目隠しする状態で取付け体に係脱自在に係止する工程、パネル体面部と押し縁との間隙に間隙材を介装する行程、を備えることを特徴とする表示機能付き戸体の灯体取付け方法である。
【発明の効果】
【０００６】
請求項１または４の発明とすることにより、灯体からの光を導光性があるパネル体に入光し、反射部で反射させることで文字や図柄等を光表示できるものでありながら、灯体が球切れしたような故障の場合や発行色を変更したい場合のように灯体を交換したい場合に、パネル体端面部と押し縁との間隙に介装された間隙材を取外した後、押し縁を取外し、その後、取付け部材を取外して取付け体を框材から自由にし、しかる後取付け体を框材から取外すことで灯体を戸体から簡単に取外すことができ、また請求項５の発明とすることにより、灯体を戸体に簡単に取付けることができ、灯体の交換作業等のメンテナンスが簡単になる。しかもこれらの場合に、取付け体を框材に取付けるための取付け部材が押し縁に隠れることになって外観を損なうことがない。
請求項２の発明とすることにより、灯体からの光は、ガイド部に案内されてパネル体端面に入光することになって効率の良い入光ができ、明るい光表示をすることができる。
請求項３の発明とすることにより、取付け体の框材からの取外し作業が、パネル体の入光端面に邪魔されることなくできることになってメンテナンス性が向上する。
【図面の簡単な説明】
【０００７】
【図１】（Ａ）（Ｂ）は開き戸方式の戸体の正面図、開閉状態を示す戸体の平面図である。
【図２】灯体が設けられる縦框部位の横断面図である。
【図３】灯体が設けられない上框部位の横断面図である。
【図４】（Ａ）〜（Ｅ）は灯体を縦框から取外す手順を示す作用説明図である。
【図５】（Ａ）（Ｂ）は引き戸方式の戸体の正面図、平面図である。
【発明を実施するための形態】
【０００８】
以下、本発明の実施の形態について、図面に基づいて説明する。図中、１は開き戸方式の戸体（扉体）であって、該戸体１は、上下両框２、３、左右縦框４、これら框２〜４に組込まれるパネル体５とを用いて構成され、戸枠６の縦枠６ａに蝶番６ｂを介して開閉揺動自在に支持されているが、パネル体５は透明板（導光板）となっており、該パネル体５の屋内側板面には、文字や図柄等を表示するための反射部５ａが凹溝状（あるいはＶ溝状）に形成されている。そして本実施の形態では、蝶番６ｂの一つに電気的な配線（通称「電気蝶番」）がなされており、これにより建物側から戸体１への電源供給がなされるようになっているが、これらの技術は周知であるので、これ以上の詳細は省略する。
【０００９】
そして本実施の形態では、左右両縦框（框材）４に灯体（例えば発光ダイオード（ＬＥＤ））７が組込まれており、以降、これらの構造について具体的に説明する。
【００１０】
前記縦框４は四角筒形状をし、左右方向外側端面４ａには化粧框８が取付けられている。一方、縦框４の左右方向内側端面４ｂの屋内外側端には、屋内外側面４ｃから面一状に延出する状態で屋内外側凸片４ｄが突設しているが、屋内外側凸片４ｄには、さらに該屋内外側凸片４ｄよりも肉薄となる状態で屋内外側面４ｃおよび屋内外側凸片４ｄの屋内外側面から面一状に延出する状態で屋内外側突条４ｅが形成され、これにより、屋内外側凸片４ｄの先端部（左右方向内端部）と屋内外側突条４ｅの屋内外方の内端面とのあいだに段差部４ｆを形成している。
また、縦框４の左右方向内端面４ｂの屋内外方中央部には、凹溝４ｇを形成するため屋内外方に対向する状態で一対の内側凸片４ｈが形成されるが、該両内側凸片４ｈの先端（左右方向内端）には、屋内外方外方に向けてそれぞれＬ字形に折曲する状態で内側凸条４ｉがさらに形成されている。
【００１１】
９は灯体７を縦框４に取付けるための取付け体であって、該取付け体９は、両内側凸条４ｉの左右方向内側面に当接する本体片９ａと、該本体片９ａの左右方向内側面から左右方向内側に向けて突出して灯体７の取付け溝（本発明の「ガイド部」に相当する。）９ｂを縦框４の屋内外方向中央部に形成するべく屋内外方向に間隙を存して対向する一対の取付け片９ｃと、屋内側内側凸条４ｉの屋内側端にまで至る本体片９ａの屋内側端から左右方向外方に向けて折曲して縦框左右方向内側端面４ｂに至る屋内側折曲片９ｄと、該屋内側折曲片９ｄの左右方向外端から左右方向内側端面４ｂに当接する状態で屋内側方向に折曲する屋内側当接片９ｅと、該屋内側当接片９ｅの屋内側端から屋内側凸片４ｄの屋外側部に当接する状態で左右方向内方に折曲して屋外側が開口するようＬ字形になった第一係止片９ｆと、前記屋内側折曲片９ｄから左右方向内方に向けて延出して屋外側が開口するようＬ字形になった第二係止片９ｇとを備えて構成されている。
そして取付け溝９ｂは、開口端がパネル体５の灯体７からの光が入光する入光端面にまで至らない、つまり開口端と入光端面とのあいだに左右方向の隙間を存する寸法設定になっている。
【００１２】
そして取付け体９は、灯体７を取付け溝９ｂの溝底に組込んだ状態で、屋内側当接片９ｅを屋内側凸片４ｄと内側凸条４ｉとのあいだに嵌入して左右方向内側端面４ｂに突当て当接し、この状態で屋内側当接片９ｅをビス（本発明の「取付け部材」に相当する。）９ｉを介して左右方向内側端面４ｂに着脱自在に固定することで灯体７が縦框４に取付けられるようになっている。尚、リード線７ａは、前述したように電気蝶番６ｂを介して戸体１内に引き込まれるが、該リード線７ａは、上框２において左右に分割され、左右の縦框４に至らしめるようになっている。
【００１３】
また、１０は屋外側押し縁であって、該屋外側押し縁１０は、パネル体５の屋外側端面部に対向して該屋外側端面部を支持するための屋外側支持部１０ａを有しているが、該屋外側支持部１０ａに屋内外の係止片１０ｂ、１０ｃが一体となって設けられる。そして、屋内側係止片１０ｂは屋外側の内側凸片４ｈと内側凸条４ｉとで形成されるＬ字形の係止部に係止し、屋外側の係止片１０ｃは、段差部４ｆに当接する状態で屋外側凸片４ｄに係止している。そして屋外側支持部１０ａとパネル体５の屋外側面とのあいだの空隙には、間隙材であるガラス押さえ（シーリング、ビード）１１及びバッカー１２が着脱自在に介装されている。
【００１４】
一方、屋内側押し縁１３は、パネル体５の屋内側端面部に対向して該屋内側端面部を支持するための屋内側支持部１３ａを有しているが、該屋外側支持部１３ａに屋内外の係止片１３ｂ、１３ｃが一体となって設けられる。そして屋内側係止片１３ｂは取付け体９の第一係止片９ｆに、屋外側係止片１３ｃは第二係止片９ｇにそれぞれ屋外側から係止しており、同じく屋内側支持部１３ａとパネル体５の屋内側面とのあいだの空隙には、同じく間隙材であるガラス押さえ（シーリング、ビード）１１及びバッカー１２が介装されている。
【００１５】
そして灯体７の戸体１への着脱は、図４に示すように次の手順で行われるようになっている。因みに、本実施の形態では、灯体７は、左右両縦框４に設けられるものであるが、左右何れか一方の縦框４に設けられるものであってもよく、また上下框２、３の少なくとも一方に設けられるものであってもよい。そしてこれらの場合において、灯体７のない部位の框（框材）の屋内側端面部については、屋外側端面部を支持する屋外側押し縁１０を天地逆にしたものを屋内側押し縁１０として用いて支持するようにしている。このためパネル体５は、灯体７のない部位について予め、灯体７を設けるための屋内側押し縁１３を外した状態であっても、屋内外の両端面部を、図３に示すようにこの屋内外側押し縁１０を用いて支持する状態にしておけば、灯体７が設けられる部位の屋内側押し縁１３を外してもパネル体５が外れてしまうようなことはない。尚、取付け体９を屋内側ではなく、屋外側に取外すようにしてもよく、この場合には、本実施の形態について屋内外の構成を逆にすれば良いことになる。
【００１６】
図４では、灯体７を取外す手順について説明するが、灯体７を取付ける手順ついては取り外す手順の逆の操作をすればよいのでその説明については省略する。
まず、屋内側支持部１３ａとパネル体５の屋内側端面部とのあいだのガラス押さえ１１、バッカー１２を取り外す（図４（Ｂ））。次いで屋内側押し縁１３を取り外す（図４（Ｃ））。しかる後、ビス９ｉを外し（図４（Ｄ））てから取付け体９を縦框４から外す（図４（Ｅ））ことで灯体７を戸体１から取外すことができるようになっている。
【００１７】
叙述のごとく構成した本発明の実施の形態において、灯体７は、該灯体７が設けられた取付け体９と、該取付け体９を縦框４に着脱自在に取付けるためのビス９ｉと、パネル体５の端面部を支持するべく取付け体９に係脱自在に係止される屋内側押し縁１３と、該屋内側押し縁１３とパネル体５の屋内側面部との間隙に着脱自在に介装されるガラス押さえ１１及びバッカー１２とを備えて構成され、そして灯体７が故障したり発光色を変更したい等の理由で灯体７を交換したい場合に、パネル体５の屋内側面部と屋内側押し縁１３との間隙に介装されたガラス押さえ１１及びバッカー１２を取外してパネル体とのあいだに隙間ができた状態にして屋内側押し縁１３を取付け体９から取外し、しかる後、ビス９ｉを取外すことで灯体７が設けられた取付け体９を縦框４に対して自由にし、この自由になった取付け体９を縦框４から取外すことで簡単に灯体７の取り外しができ、そして新しい灯体が組込まれた取付け体９を用いて前記取外し手順とは逆の手順で組込むことで灯体７の交換ができることになって、いちいちパネル体５を縦框４から外す必要がなく、メンテナンス性が向上する。
【００１８】
しかもこのものでは、屋内側押し縁１３は、ビス９ｉの縦框４への取付け位置に取付けられるものであるため、ビス９ｉは常時は屋内側押し縁１３によって目隠しされて視認することができず、灯体７を交換するため屋内側押し縁１３を取外すことにより露出するものであるため、取付け体９をビス９ｉによって着脱するものでありながら外観性を損なうことがない。
【００１９】
また取付け体９には、灯体７からの光を入光するパネル体端面にガイドするための取付け溝９ｂが設けられ、この溝底部に灯体７が設けられているため、効率よく灯体７からの光をパネル体端面部に入光させることができることになって、優れた光発光表示ができながら、取付け溝９ｂの開口端は、パネル体５の入光端面までは至らない設定、つまり取付け溝９ｂの開口端とパネル体５の入光端面とのあいだが左右方向に間隙を存しているため、前記取付け体９の縦框４に対する着脱の際に、取付け溝９ｂの開口端がパネル体５の入光端面に当たって着脱の邪魔をすることがなくなって、作業性の向上を図ることができる。
【００２０】
尚、本発明は前記実施の形態に限定されないものであることは勿論であって、例えば図５に示す開き戸方式のものであっても同様にして実施することができる。
【産業上の利用可能性】
【００２１】
本発明は、ＬＥＤ（発光ダイオード）等の灯体からの光を導光材からなるパネル体に入射することで文字や図柄等を表示する表示機能付きの戸体として利用することができる。
【符号の説明】
【００２２】
１  戸体
４  縦框
４ｇ  凹溝
５  パネル体
５ａ  反射部
７  灯体
７ａ  リード線
９  取付け体
９ｂ  取付け溝
９ｉ  ビス 
１１  ガラス押さえ
１２  バッカー
１３  屋内側押し縁
【図１】
0006616135.tif 000002
【図２】
0006616135.tif 000003
【図３】
0006616135.tif 000004
【図４】
0006616135.tif 000005
【図５】
0006616135.tif 000006